(57)【要約】【課題】アンテナがタッチパッドの位置検出用の電極の下に配置されながら、外部機器との安定した通信を実現するアンテナ付タッチパッド入力装置、及び該装置を搭載した電子機器を提供する。【解決手段】アンテナ付タッチパッド入力装置(10)は、感知面に沿って設けられ、静電容量を測定するための複数の測定領域を構成する電極群と、前記感知面とは反対側にて電極群に沿わされた接地電極(34b)を含む接地電極層(34)と、電極群とは反対側にて接地電極層(34)に沿わされ、外部機器と通信を行うためのアンテナ(33b)とを備える。接地電極(34b)は複数の開口部(39d)を有する。【選択図】図４
2011002950.tif 000002
【特許請求の範囲】
【請求項１】
電子機器内の放射ノイズを遮蔽するシールド部材に設けられた開口にて表出する感知面を有するアンテナ付タッチパッド入力装置であって、
前記感知面に沿って設けられ、静電容量を測定するための複数の測定領域を構成する電極群と、
前記感知面とは反対側にて前記電極群に沿わされた接地電極を含む接地電極層と、
前記電極群とは反対側にて前記接地電極層に沿わされ、外部機器と通信を行うためのアンテナとを備え、
前記接地電極は複数の開口部を有する
ことを特徴とするアンテナ付タッチパッド入力装置。
【請求項２】
請求項１に記載のアンテナ付タッチパッド入力装置において、
前記電極群は、
前記感知面に沿う第１層内に配置され、第１の方向にそれぞれ延びる複数の導電体からなる第１駆動電極と、
前記第１層に沿う第２層内に配置され、前記第１の方向とは直交する第２の方向にそれぞれ延びる複数の導電体からなる第２駆動電極と、
前記第１層内、前記第２層内、又は、前記第１層及び前記第２層と平行な第３層内に配置され、前記第１駆動電極及び第２駆動電極の導電体の各々と協働して前記測定領域を構成する検出電極とを含み、
前記第１駆動電極が前記感知面、前記電極群及び前記接地電極層の積層方向にて投影される前記接地電極層の領域を第１領域とし、前記第２駆動電極が前記積層方向にて投影される前記接地電極層における領域を第２領域とし、前記検出電極が前記積層方向にて投影される前記接地電極層における領域を第３領域としたとき、
前記第１領域、前記第２領域、及び、前記第３領域以外の領域に前記接地電極の各開口部が位置し、
前記アンテナが前記積層方向にて投影される前記接地電極層における領域のうち少なくとも一部は、前記開口部に位置している
ことを特徴とするアンテナ付タッチパッド入力装置。
【請求項３】
請求項１又は２に記載のアンテナ付タッチパッド入力装置において、
前記アンテナは、アンテナ用基板に密着して形成されている
ことを特徴とするアンテナ付タッチパッド入力装置。
【請求項４】
請求項１乃至３の何れか一項に記載のアンテナ付タッチパッド入力装置において、
前記測定領域の静電容量の変化を検出するための電気素子が実装された回路基板を備え、
前記感知面、前記電極群及び前記接地電極層の積層方向でみて、前記アンテナは、前記接地電極層と前記回路基板との間に位置している
ことを特徴とするアンテナ付タッチパッド入力装置。
【請求項５】
請求項４に記載のアンテナ付タッチパッド入力装置において、
前記積層方向でみて、前記アンテナに比べて前記感知面から離れた位置に磁性部材を備え、前記磁性部材は、電気絶縁性を有するとともに前記シールド部材を構成する金属よりも高い透磁率を有する
ことを特徴とするアンテナ付タッチパッド入力装置。
【請求項６】
請求項５に記載のアンテナ付タッチパッド入力装置において、
前記積層方向での前記磁性部材の厚さは０．５ｍｍ以下であり、前記磁性部材の比透磁率の実数部は１０以上である
ことを特徴とするアンテナ付タッチパッド入力装置。
【請求項７】
請求項１乃至６の何れか一項に記載のアンテナ付タッチパッド入力装置を搭載したことを特徴とする電子機器。通信が実現される。
【発明の詳細な説明】
【技術分野】
【０００１】
本発明は、アンテナ付のタッチパッド入力装置、及び該装置を搭載した電子機器に関する。
【背景技術】
【０００２】
タッチパッド入力装置は電子機器、例えばラップトップ型のパーソナルコンピュータ（ラップトップコンピュータ）に搭載される。ラップトップコンピュータでは、キーボードを有する本体とディスプレーとがヒンジで連結され、この本体において、キーボードの手前側にタッチパッド入力装置が配置される。
【０００３】
ラップトップコンピュータでは、本体のハウジングの内側にシールド部材が設けられている。シールド部材は、本体内部の電子機器を覆うように設けられ、不要電磁波の放射又は入射を抑制している（ＥＭＩ対策）。
ただし、本体のハウジング及びシールド部材には、タッチパッド入力装置を配置するための開口部が設けられ、タッチパッド入力装置のフェイスシートは、開口部にて表出して感知面を構成する。
【０００４】
タッチパッド入力装置として、特許文献１は、アンテナ付きのタッチパッドモジュールを提案している。このタッチパッドモジュールでは、アンテナがシールド部材の開口部に配置されることで、アンテナを介して外部との通信が可能になるものと考えられている。
【０００５】
具体的には、特許文献１が開示するタッチパッドモジュールにおいては、例えば、アンテナは、タッチパッドのプリント回路基板に設けられる。また、アンテナは、タッチパッドアレイ自体のために用いられる層の間の、またはその層に隣接する、個別のフレキシブル層に配置され得るとされている。
【先行技術文献】
【特許文献】
【０００６】
【特許文献１】特表２００２−５３９５１７号公報（段落番号０００６、００１４、００３３及び図３等。）
【発明の概要】
【発明が解決しようとする課題】
【０００７】
一般に、タッチパッドモジュールは、位置検出用の電極として、格子状の電極と、格子状の電極の下方に配置される面状の接地電極とを有する。特許文献１が示唆するように、面状の接地電極の下にアンテナが配置されると、アンテナが発生させた電磁波は、面状の接地電極で反射若しくは吸収されてしまう。また、外部機器が発生させた電磁波も、面状の接地電極で反射若しくは吸収されてしまう。
このため、アンテナが面状の接地電極の下方に配置されている場合、外部機器との通信は困難である。
【０００８】
本発明は上述した事情に基づいてなされ、その目的とするところは、アンテナがタッチパッドの位置検出用の電極の下に配置されながら、外部機器との安定した通信を実現するアンテナ付タッチパッド入力装置、及び該装置を搭載した電子機器を提供することである。
【課題を解決するための手段】
【０００９】
上記目的を達成するため、本発明は以下の解決手段を採用する。
【００１０】
第１の解決手段：本発明の一態様によれば、電子機器内の放射ノイズを遮蔽するシールド部材に設けられた開口にて表出する感知面を有するアンテナ付タッチパッド入力装置であって、前記感知面に沿って設けられ、静電容量を測定するための複数の測定領域を構成する電極群と、前記感知面とは反対側にて前記電極群に沿わされた接地電極を含む接地電極層と、前記電極群とは反対側にて前記接地電極層に沿わされ、外部機器と通信を行うためのアンテナとを備え、前記接地電極は複数の開口部を有することを特徴とするアンテナ付タッチパッド入力装置が提供される。
【００１１】
第１の解決手段のアンテナ付タッチパッド入力装置によれば、アンテナが発生させた電磁波及び外部機器が発生させた電磁波の一部が、接地電極の開口部を通過する。このため、アンテナと外部機器との間での通信が実現される。
【００１２】
第２の解決手段：好ましくは、前記電極群は、前記感知面に沿う第１層内に配置され、第１の方向にそれぞれ延びる複数の導電体からなる第１駆動電極と、前記第１層に沿う第２層内に配置され、前記第１の方向とは直交する第２の方向にそれぞれ延びる複数の導電体からなる第２駆動電極と、前記第１層内、前記第２層内、又は、前記第１層及び前記第２層と平行な第３層内に配置され、前記第１駆動電極及び第２駆動電極の導電体の各々と協働して前記測定領域を構成する検出電極とを含み、前記第１駆動電極が前記感知面、前記電極群及び前記接地電極層の積層方向にて投影される前記接地電極層の領域を第１領域とし、前記第２駆動電極が前記積層方向にて投影される前記接地電極層における領域を第２領域とし、前記検出電極が前記積層方向にて投影される前記接地電極層における領域を第３領域としたとき、前記第１領域、前記第２領域、及び、前記第３領域以外の領域に前記接地電極の各開口部が位置し、前記アンテナが前記積層方向にて投影される前記接地電極層における領域のうち少なくとも一部は、前記開口部に位置している。
【００１３】
第２の解決手段によれば、少なくともアンテナの一部が、感知面、電極群及び接地電極層の積層方向にて、第１駆動電極、第２駆動電極、検出電極及び検出電極によって遮蔽されていない。
このため、アンテナと外部機器との間で、より安定な通信が実現される。
【００１４】
第３の解決手段：好ましくは、アンテナは、アンテナ用基板に密着して形成されている。
第３の解決手段のアンテナ付タッチパッド入力装置によれば、アンテナがアンテナ用基板に密着して形成されているので、アンテナが確実に支持され、アンテナの変形が防止される。
【００１５】
第４の解決手段：好ましくは、前記測定領域の静電容量の変化を検出するための電気素子が実装された回路基板を備え、前記感知面、前記電極群及び前記接地電極層の積層方向でみて、前記アンテナは、前記接地電極層と前記回路基板との間に位置している。
第４の解決手段のアンテナ付タッチパッド入力装置によれば、回路基板を有していても、アンテナと外部機器との間が回路基板によって遮られることはなく、アンテナと外部機器との間の通信が実現される。
【００１６】
第５の解決手段：好ましくは、前記積層方向でみて、前記アンテナに比べて前記感知面から離れた位置に磁性部材を備え、前記磁性部材は、電気絶縁性を有するとともに前記シールド部材を構成する金属よりも高い透磁率を有する。
第５の解決手段のアンテナ付タッチパッド入力装置によれば、アンテナで発生した磁束が磁性部材の内部に導かれるので、シールド部材を通過する磁束の数が減少させられる。一方、磁性部材は電気絶縁性を有するので、磁性部材を磁束が通過しても、渦電流の発生が抑制される。
この結果として、このアンテナ付タッチパッド入力装置によれば、アンテナと外部機器との間で、より安定な通信が実現される。
【００１７】
第６の解決手段：好ましくは、前記電極群と前記感知面との間における前記磁性部材の厚さは０．５ｍｍ以下であり、前記磁性部材の比透磁率の実数部は１０以上である。
第６の解決手段のアンテナ付タッチパッド入力装置によれば、磁性部材の厚さが０．５ｍｍ以下であるため、磁性部材を設けても、アンテナ付タッチパッド入力装置の大型化が防止される。
一方、磁性部材の厚さが０．５ｍｍ以下であっても、透磁率の実数部の値が１０以上であるため、磁束が磁性部材の内部に導かれ、シールド部材を通過する磁束の数が確実に減少させられる。
この結果として、このアンテナ付タッチパッド入力装置によれば、アンテナと外部機器との間で、より安定な通信が実現される。
【００１８】
第７の解決手段：本発明の他の態様として、解決手段１乃至６の何れか一つのアンテナ付タッチパッド入力装置を搭載したことを特徴とする電子機器が提供される。
第７の解決手段の電子機器では、アンテナ付タッチパッド入力装置によって外部機器との通信が実現され、外部機器との連携が図られる。
【発明の効果】
【００１９】
本発明のアンテナ付タッチパッド入力装置によれば、アンテナが、検出電極に比べて感知面から離れていても、検出電極が開口部を有するため、外部機器との通信が実現される。
本発明の電子機器は、アンテナ付タッチパッド入力装置によって外部機器との通信が実現され、外部機器との連携が図られる。
【図面の簡単な説明】
【００２０】
【図１】第１実施形態のタッチパッド入力装置を搭載したパーソナルコンピュータの外観を示す斜視図である。
【図２】図１のＩＩ−ＩＩ線に沿う概略的な部分断面図である。
【図３】第１実施形態のタッチパッド入力装置の概略的な外観を示す斜視図である。
【図４】図３のタッチパッド入力装置の分解斜視図である。
【図５】図４中の接地電極層の平面図である。
【図６】図４中のアンテナ層の平面図である。
【図７】図６のアンテナ層に図４の接地電極層を重ねて示す図である。
【図８】図７中のＶＩＩＩ―ＶＩＩＩ線の位置における図３のアンテナ付タッチパッド入力装置の概略的な部分断面図である。
【図９】図１のパーソナルコンピュータにおける電気回路を概略的に示すブロック図である。
【発明を実施するための形態】
【００２１】
以下、本発明の実施形態を図面に基づいて説明する。
〔第１実施形態〕
図１は、第１実施形態のアンテナ付タッチパッド入力装置１０を搭載したラップトップ型のパーソナルコンピュータ（電子機器）１１を示す。コンピュータ１１は本体１２及びディスプレー１４を有し、本体１２とディスプレー１４はヒンジを介して結合されている。ディスプレー１４は、通常平置きされる本体１２に重ね合わされた状態（閉状態）から、ヒンジを支点として回転させられることにより可逆的に、本体１２に対して立った状態（開状態）になる。
【００２２】
ディスプレー１４は、例えば樹脂製のディスプレーハウジング１６を有する。ディスプレーハウジング１６は、扁平な箱形状をなし、例えばＡ４用紙と略等しい大きさを有する。ディスプレーハウジング１６は、閉状態にあるときに本体１２と対向する面（内面）を有するけれども、ディスプレーハウジング１６の内面には、略全域に渡る開口が形成されている。ディスプレーハウジング１６の開口１６ａには、例えば液晶パネル１８が表出している。
【００２３】
本体１２は、扁平な箱形状の樹脂製のメインハウジング２０を有する。
閉状態のときにディスプレー１４と対向するメインハウジング２０の上壁には、液晶パネル１８に向かって見たとき奥側、則ちヒンジ側に開口２０ａが設けられ、この開口２０ａ内にキーボード２１が配置されている。なお、メインハウジング２０の上壁の大きさは、ディスプレーハウジング１６の内面と略同一である。
【００２４】
また、メインハウジング２０の上壁には、キーボード２１よりも手前の中央にも開口２０ｂが形成されている。この開口２０ｂには、アンテナ付タッチパッド入力装置のフェイスシート２２が表出している。
更に、メインハウジング２０の上壁には、開口２０ｂよりも手前に開口２０ｃが形成され、この開口２０ｃには、２つのボタン２４ａ，２４ｂがメインハウジング２０の幅方向に並んで表出している。
なお、メインハウジング２０の上壁における、開口２０ｂ，２０ｃの両側の領域はパームレストとして機能する。
【００２５】
図２は、図１中のＩＩ−ＩＩ線に沿う断面図であり、本体１２の部分的な断面を示す。
メインハウジング２０の内側には、金属製のシールド部材２６が設けられている。シールド部材２６は、メインハウジング２０よりも若干小さな略箱形状をなし、キーボード２１、フェイスシート２２及びボタン２４ａ，２４ｂが表出している領域を除き、メインハウジング２０によって略全域が覆われている。
【００２６】
シールド部材２６の上壁には、メインハウジング２０の開口２０ｂの位置に対応して、開口２６ａが形成されている。そして、シールド部材２６の内側には、開口２６ａに対応して、開口２６ａよりも若干大の底板２７が配置されている。底板２７ａは導電性を有し、底板２７ａとシールド部材２６の上壁との間は、例えば導電性を有する複数の接続部材２７ｂによって、機械的及び電気的に接続されている。
【００２７】
底板２７ａは、シールド部材２６の開口２６ａを塞ぐように配置されているが、底板２７ａは、シールド部材２６の上壁から離間している。このため、底板２７ａ及び接続部材２７ｂは、開口２６ａに連なる凹み２７を形成し、この凹み２７内に、アンテナ付タッチパッド入力装置１０は配置されている。
なお、接続部材２７ｂの数は、例えば４つである。
【００２８】
〔アンテナ付タッチパッド入力装置〕
アンテナ付タッチパッド入力装置１０は、適当なパターンの配線（図示せず）を有するプリント回路基板２８を有し、プリント回路基板２８は、図示しない支持部材によって、凹み２７内に固定されている。
【００２９】
プリント回路基板２８はメインハウジング２０の上壁と略平行に配置される。凹み２７の底面、即ち底板２７ａと対向するプリント回路基板２８の下面には、ＬＳＩチップ３０ａ，３０ｂ等の電気素子が実装されている。
開口２０ｂ側に位置するプリント回路基板の上面には、フェイスシート２２を含む積層体３１が固定されている。
【００３０】
図３は、アンテナ付タッチパッド入力装置１０の概略的な外観を示す斜視図である。プリント回路基板２８は、積層体３１と同等の四角形状を有し、プリント回路基板２８の一方の面に積層体３１が固定されている。積層体３１は、プリント回路基板２８の他方の面に実装された電気素子に接続される。
【００３１】
また、プリント回路基板２８に実装された電気素子は、入出力端子を介して、シールド部材２６の内部に配置されたマザー基板（図示せず）と接続される。
【００３２】
〔積層体〕
図４は、アンテナ付タッチパッド入力装置１０を分解して示す概略的な斜視図である。
積層体３１は、プリント回路基板２８側から順に、磁性層３２、アンテナ層３３、接地電極層３４、Ｙ駆動電極層３６、Ｘ駆動電極層３８、及び、フェイスシート２２を有する。これら磁性層３２、アンテナ層３３、接地電極層３４、Ｙ駆動電極層３６、Ｘ駆動電極層３８、及び、フェイスシート２２は、接着剤などによって相互に密着している。
【００３３】
〔Ｙ駆動電極層〕
Ｙ駆動電極層３６は、略四角形のフィルム基板（Ｙ駆動電極用基板）３６ａと、フィルム基板３６ａに一体に形成された格子形状のＹ駆動電極３６ｂと、同じくフィルム基板３６ａに一体に形成された櫛形状の検出電極３６ｃとからなる。Ｙ駆動電極３６ｂ及び検出電極３６ｃは、相互に噛み合うように配置されながら、フィルム基板３６ａの一方の面の略全域に分布させられている。
具体的には、Ｙ駆動電極３６ｂは、互いに平行な複数の導電性の帯によって構成され、導電性の帯は、パーソナルコンピュータ１１の本体１２の奥行き方向にそれぞれ延び、パーソナルコンピュータ１１の本体１２の幅方向にて相互に一定間隔にて離間している。
検出電極３６ｃは、互いに平行な複数の導電性の帯と、これらの帯の一端を相互に連結する一つの導電性の帯によって構成されている。検出電極３６ｃの複数の導電性の帯も、Ｙ駆動電極３６ｂの複数の導電性の帯と同様に、パーソナルコンピュータ１１の本体１２の奥行き方向にそれぞれ延び、パーソナルコンピュータ１１の本体１２の幅方向にて相互に一定間隔にて離間している。そして、検出電極３６ｃの複数の導電性の帯は、Ｙ駆動電極３６ｂの複数の導電性の帯の間に配置されている。
【００３４】
〔Ｘ駆動電極層〕
Ｘ駆動電極層３８は、略四角形のフィルム基板（Ｘ駆動電極用基板）３８ａと、フィルム基板３８ａに一体に形成された格子形状のＸ駆動電極３８ｂとからなる。Ｘ駆動電極３８ｂは、フィルム基板３８ａの一方の面の略全域に分布させられている。具体的には、Ｘ駆動電極３８ｂは、互いに平行な複数の導電性の帯によって構成され、導電性の帯は、パーソナルコンピュータ１１の本体１２の幅方向にそれぞれ延び、パーソナルコンピュータ１１の本体１２の奥行き方向にて相互に一定間隔にて離間している。
【００３５】
〔接地電極層〕
接地電極層３４は、略四角形のフィルム基板（接地用基板）３４ａと、フィルム基板３４ａに一体に形成された接地電極３４ｂとからなる。
より詳しくは、図５に示したように、接地電極３４ｂは、検出電極３６ｃ、Ｙ駆動電極３６ｂ、及び、Ｘ駆動電極３８ｂを合わせた網目形状を有する。すなわち、接地電極３４ｂは、検出電極３６ｃ及びＹ駆動電極３６ｂの複数の帯と同等の形状をそれぞれ有し、検出電極３６ｃ及びＹ駆動電極３６ｂの帯と同様に配列された複数の導電性の帯３９ａと、Ｘ駆動電極３８の複数の帯と同等の形状をそれぞれ有し、Ｘ駆動電極３８ｂの帯と同様に配列された複数の導電性の帯３９ｂとを含む。
【００３６】
帯３９ａ，３９ｂは、同一平面にあるため互いに一体に交差し、本体１２の奥行き方向及び幅方向に周期的に配列された複数の交差部３９ｃを形成している。そして、帯３９ａ，３９ｂ同士の隙間は、接地電極層３４において、導体が存在しない複数の四角形の窓（開口部）３９ｄを形成している。開口部３９ｄも、検出電極３６ｃ、Ｙ駆動電極３６ｂの帯及びＸ駆動電極３８ｂの帯の周期に合わせて、本体１２の奥行き方向及び幅方向に周期的に配列されている。
【００３７】
従って、検出電極３６ｃ、Ｙ駆動電極３６ｂ及びＸ駆動電極３８ｂは、積層方向で見たときに、網目形状をなすように相互に直交している。そして、接地電極３４ｂは、検出電極３６ｃ、Ｙ駆動電極３６ｂ及びＸ駆動電極３８ｂに重なっている。
本実施形態では、好ましい態様として、Ｘ駆動電極３８ｂが積層方向にて接地電極層３４に投影される領域、Ｙ駆動電極３６ｂが積層方向にて接地電極層３４に投影される領域、及び、検出電極３６ｃが積層方向にて接地電極層３４に投影される領域以外の領域に、開口部３９ｄが形成されている。
なお、これら検出電極３６ｃ、Ｙ駆動電極３６ｂ及びＸ駆動電極３８ｂは、フェイスシート２２の表面に接触する指先等の物体の位置を検出するための電極群を構成している。
【００３８】
〔アンテナ層〕
アンテナ層３３は、略四角形のフィルム基板（アンテナ用基板）３３ａと、フィルム基板３３ａに一体に形成されたアンテナ３３ｂとからなる。
【００３９】
図６は、アンテナ層３３を示す平面図であり、アンテナ３３ｂは、所定のパターンにて延びる導体の帯からなる。導体の幅は、例えば、０．１ｍｍ以上１．００ｍｍ以下の範囲にある。アンテナ３３ｂは、好ましくは、フィルム基板３３ａの外縁に沿って渦巻き形状に延びる磁界結合型のループアンテナであり、ループアンテナの巻回数は好ましくは２回以上である。
なお、導体としては、アルミや銅等の金属を用いることができるが、ＩＴＯ（酸化インジウム錫）等の導電性の酸化物を用いてもよい。
【００４０】
図７は、アンテナ層３３とともに、接地電極層３４を１点鎖線にて示している。図７に示したように、平面図でみたとき、アンテナ３３ｂは、接地電極３４ｂの帯３９ａ，３９ｂを跨いで、複数の開口部３９ｄを通過するように延び、アンテナ３３ｂの大部分が、開口部３９ｄを通過している。すなわち、平面図でみたとき、アンテナ３３ｂの大部分が開口部３９ｄを通過するように、アンテナ３３ｂ及び接地電極３４ｂの各々の形状及び配置が決定されている。
【００４１】
図８は、図７中のＶＩ−ＶＩ線に沿う位置での、積層体３１及びプリント回路基板２８の部分断面図である。図８に示すように、接地電極３４ｂの帯３９ａの断面は例えば四角形であり、接地電極３４ｂの帯３９ｂ、アンテナ３３ｂ、検出電極３６ｃ、Ｙ駆動電極３６ｂ及びＸ駆動電極３８ｂを構成する帯の断面も、例えば四角形である。これらの接地電極３４ｂの帯３９ａ，３９ｂや、アンテナ３３ｂ、検出電極３６ｃ、Ｙ駆動電極３６ｂ及びＸ駆動電極３８ｂの帯は、印刷技術を用いて形成することができる。
【００４２】
〔磁性層〕
磁性層３２は、例えば四角形の薄板形状を有する。磁性層３２の比透磁率（複素比透磁率）の実数部μ’は、シールド部材２６に比べて高く、好ましくは１０以上である。また、磁性層３２の厚さｔは、好ましくは０．５ｍｍ以下である。更に、磁性層３２は電気絶縁性を有する。
【００４３】
このような磁性層３２としては、センダストやパーマロイ等の軟磁性粉末が結着剤によって固められたものを用いることができる。
なお、フィルム基板３３ａ，３４ａ，３６ａ，３８ａ、磁性層３２及びフェイスシート２２は、略同じ大きさを有し、４隅を揃えて相互に沿うように重ね合わされている。フィルム基板３３ａ，３４ａ，３６ａ，３８ａ、磁性層３２及びフェイスシート２２の積層方向は、本体１２の厚さ方向（上下方向）に一致している。
【００４４】
〔回路構成〕
図７は、アンテナ付タッチパッド入力装置１０を含む、パーソナルコンピュータ１１の概略的な電気回路を示すブロック図である。
パーソナルコンピュータ１１のマザー基板には、ＣＰＵ（中央演算装置）５０及びメモリ５２が実装されている。ＣＰＵ５０は、同じくマザー基板上に実装されたディスクコントローラ５４を介して、シールド部材２６の内部に配置されたハードディスク５６に接続されている。
【００４５】
パーソナルコンピュータ１１の電源が入れられると、ＣＰＵ５０は、ハードディスク５６に記憶されたＢＩＯＳ（ベーシックインプットアウトプットシステム）及びオペレーティングシステムを起動し、その後、操作者の指示に従って、アプリケーションソフトを実行する。
【００４６】
また、ＣＰＵ５０は、マザー基板に実装されたディスプレーコントローラ５８を介して、液晶パネル１８に接続され、液晶パネル１８は、ＢＩＯＳ、オペレーティングシステム及びアプリケーションソフトの入出力画面を表示する。
【００４７】
更に、ＣＰＵ５０は、マザー基板に実装されたキーボードコントローラ６０を介して、キーボード２１に接続され、操作者によるキーボード２１の各ボタンの押下に応じて、オペレーティングシステム又はアプリケーションソフト上での所定の動作を実行する。
【００４８】
その上で、ＣＰＵ５０は、マザー基板に実装されたタッチパッドコントローラ６２を介して、アンテナ付タッチパッド入力装置１０に接続されている。
具体的には、アンテナ付タッチパッド入力装置１０は、Ｘ駆動電極３８ｂ、Ｙ駆動電極３６ｂ、検出電極３６ｃ及び接地電極３４ｂに接続された位置検出回路６４を有する。位置検出回路６４は、Ｘ駆動電極３８ｂ及びＹ駆動電極３６ｂに印加する電圧を走査しながら、Ｘ駆動電極３８ｂ及びＹ駆動電極３６ｂと検出電極３６ｃとの間の静電容量の変化を検出する。そして、位置検出回路６４は、静電容量の変化に基づいて、フェイスシート２２における指先等の接触位置を検出する。
【００４９】
なお、電圧を走査するとは、Ｘ駆動電極３８ｂ、Ｙ駆動電極３６ｂおよび検出電極３６ｃの複数の導体の帯に順次電圧を印加することをいう。
従って、瞬間的にみれば、Ｘ駆動電極３８ｂ及びＹ駆動電極３６ｂの導体の帯のうち、電圧が印加された１つの導体の帯と検出電極３６ｃとが協働して１つの測定領域を構成する。
【００５０】
そして、より長い時間範囲でみれば、Ｘ駆動電極３８ｂ、Ｙ駆動電極３６ｂおよび検出電極３６ｃの全ての導体の帯に電圧を順次印加することによって、複数の測定領域がフェイスシート２２に沿って分布させられていることになる。
なお、測定領域には、Ｘ駆動電極３８ｂ、Ｙ駆動電極３６ｂ、及び、検出電極３６ｃの導体の帯上に位置する感知面の領域も含まれる。
そして、位置検出回路６４によって検出された接触位置に関する信号は、インターフェース６６を介して、タッチパッドコントローラ６２に入力される。
【００５１】
本実施形態では、フェイスシート２２の全面が開口２０ｂにて表出し、位置検出回路６４は、フェイスシート２２の全面において、指先等の物体の接触位置を検出可能である。このため、本明細書では、フェイスシート２２の全面を感知面ともいう。
なお、位置検出回路６４及びインターフェース６６は、プリント回路基板に実装されたＬＳＩチップ３０ａ等の電気素子によって構成されているけれども、図４において、Ｘ駆動電極３８ｂ、Ｙ駆動電極３６ｂ、検出電極３６ｃ及び接地電極３４ｂと位置検出回路６４とを接続する配線が省略されている。
【００５２】
ＣＰＵ５０は、フェイスシート２２における指先の接触位置の変化に応じて、オペレーティングシステムによって液晶パネル１８上に表示されるカーソルの位置を変化させる。
【００５３】
また、ボタン２４ａ，２４ｂもインターフェース６６及びタッチパッドコントローラ６２を介してＣＰＵ５０に接続され、例えば、一方のボタン２４ａの押下しながらフェイスシート２２上で指先の位置を変化させると、液晶パネル１８における所定の表示領域が選択され、強調表示される。また、ボタン２４ａを連続して２回押下すると、カーソルの位置に応じて選択された命令が実行される。更に、他方のボタン２４ｂを押下することにより、例えば、メニュー画面が表示される。
【００５４】
一方、図５も併せて参照すると、例えば、アンテナ３３ｂの外端は接地され、アンテナ３３ｂの内端は、キャパシタ（コンデンサ）６９を介して整合回路７０に接続されている。キャパシタ６９及び整合回路７０は、プリント回路基板２８に実装された、位置検出回路６４のための電気素子とは別のＬＳＩチップ３０ｂ等の電気素子等によって構成される。
なお、図４においては、アンテナ３３ｂとコンデンサ６９とを接続する配線が省略されている。
【００５５】
整合回路７０は、マザー基板にそれぞれ実装された送受信回路７２及び無線コントローラ７４を介してＣＰＵ５０に接続されている。ＣＰＵ５０は、例えば、常駐のアプリケーションソフトによって、無線コントローラ７４、送受信回路７２、整合回路７０及びアンテナ３３ｂを作動させ、連続的又は間欠的に外部との通信を行う。
なお、送受信回路７２は、マザー基板ではなく、アンテナ付タッチパッド入力装置１０のプリント回路基板２８に実装されていてもよい。
【００５６】
本実施形態では、アンテナ３３ｂは、ＲＦＩＤ（Ｒａｄｉｏ Ｆｒｅｑｕｅｎｃｙ Ｉｄｅｎｔｉｆｉｃａｔｉｏｎ）用の磁界型のループアンテナである。操作者がＲＦＩＤタグ（非接触ICカード）をフェイスシート２２上にかざすと、ＲＦＩＤタグとアンテナ３３ｂとの間で、例えば１３．５６ＭＨｚの周波数帯（短波：ＨＦ帯）による通信が行われる。
【００５７】
例えば、アンテナ３３ｂは、パーソナルコンピュータ１１の正当な使用権限を有するか否かを確認するためのＩＤ認証に用いられる。この場合、パーソナルコンピュータ１１の電源が投入されるとすぐに、無線コントローラ７４、送受信回路７２、整合回路７０及びアンテナ３３ｂに電力が供給され、ＩＤ認証のための通信が行われるように設定されるのが好ましい。
【００５８】
上述した第１実施形態のアンテナ付タッチパッド入力装置１０によれば、アンテナ３３ｂが発生させた電磁波及び外部機器としてのＲＦＩＤタグが発生させた電磁波の一部が、接地電極３４ｂの開口部３９ｄを通過する。このため、アンテナ３３ｂと外部機器との間での通信が実現される。
【００５９】
そして、第１実施形態のアンテナ付タッチパッド入力装置１０によれば、少なくともアンテナ３３ｂの一部が、Ｘ駆動電極層３８、Ｙ駆動電極層３６及び接地電極層３４の積層方向にて、Ｘ駆動電極３８ｂ及びＹ駆動電極３６ｂの導電性の帯、検出電極３６、並びに、接地電極３４ｂによって遮蔽されていない。
このため、アンテナ３３ｂと外部機器との間で、より安定な通信が実現される。
【００６０】
また、第１実施形態のアンテナ付タッチパッド入力装置１０によれば、アンテナ３３ｂがアンテナ３３ｂ用のフィルム基板３３ａに密着して形成されているので、アンテナ３３ｂが確実に支持され、アンテナ３３ｂの変形が防止される。
【００６１】
更に、第１実施形態のアンテナ付タッチパッド入力装置１０によれば、プリント回路基板２８を有していても、アンテナ３３ｂと外部機器との間がプリント回路基板２８によって遮られることはなく、アンテナ３３ｂと外部機器との間の通信が実現される。
【００６２】
また更に、第１実施形態のアンテナ付タッチパッド入力装置１０によれば、アンテナ３３ｂで発生した磁束が磁性層３２の内部に導かれるので、シールド部材２６を通過する磁束の数が減少させられる。一方、磁性層３２は電気絶縁性を有するので、磁性層３２を磁束が通過しても、渦電流の発生が抑制される。
この結果として、このアンテナ付タッチパッド入力装置によれば、アンテナ３３ｂと外部機器との間で、より安定な通信が実現される。
【００６３】
また、第１実施形態のアンテナ付タッチパッド入力装置１０によれば、磁性層３２の厚さtが０．５ｍｍ以下であるため、磁性層３２を設けても、アンテナ付タッチパッド入力装置の大型化が防止される。
一方、磁性層３２の厚さtが０．５ｍｍ以下であっても、透磁率の実数部μ’の値が１０以上であるため、磁束が磁性層３２の内部に導かれ、シールド部材２６を通過する磁束の数が確実に減少させられる。
この結果として、このアンテナ付タッチパッド入力装置１０によれば、アンテナ３３ｂと外部機器との間で、より安定な通信が実現される。
【００６４】
そして、アンテナ付タッチパッド入力装置１０を搭載したパーソナルコンピュータ１１では、アンテナ付タッチパッド入力装置１０によって外部機器との通信が実現され、外部機器との連携が図られる。
【００６５】
本発明は、上述した第１実施形態に限定されず、種々の変更が可能である。
例えば、アンテナ３３ｂ、接地電極３４ｂ、検出電極３６ｃ、Ｙ駆動電極３６ｂ及びＸ駆動電極３８ｂは、別々のフィルム基板３３ａ，３４ａ，３６ａ，３８ａに形成されているが、これらを２つのフィルム基板の表裏に形成してもよい。あるいは、積層プリント回路基板を用いて、アンテナ３３ｂ、接地電極３４ｂ、検出電極３６ｃ、Ｙ駆動電極３６ｂ及びＸ駆動電極３８ｂを積層プリント回路基板に一体に形成してもよい。
つまり、アンテナ層３３、接地電極層３４ｂ、Ｙ駆動電極層３６及びＸ駆動電極層３８は、少なくとも、アンテナ３３ｂ、接地電極３４ｂ、検出電極３６ｃ、Ｙ駆動電極３６ｂ及びＸ駆動電極３８ｂをそれぞれ含んでいればよく、アンテナ３３ｂ、接地電極３４ｂ、検出電極３６ｃ、Ｙ駆動電極３６ｂ及びＸ駆動電極３８ｂを支持する基板の構成は特に限定されない。
更に、検出電極３６ｃを省略し、Ｘ駆動電極３８ｂに電圧を印加しているときにはＹ駆動電極３６ｂを検出電極として利用し、逆に、Ｙ駆動電極３６ｂに電圧を印加しているときにはＸ駆動電極３８ｂを検出電極として利用してもよい。
【００６６】
また、第１実施形態では、好ましい態様として、接地電極３４ｂが、検出電極３６ｃ、Ｙ駆動電極３６ｂとＸ駆動電極３８ｂとを合わせたような網目形状を有していたけれども、接地電極３４ｂの形状は網目形状に限定されることはない。すなわち、接地電極３４ｂの形状は、アンテナ３３ｂを遮蔽しないための開口部を有するものであればよい。
【００６７】
換言すれば、Ｘ駆動電極３８ｂが積層方向にて接地電極層３４に投影される領域、Ｙ駆動電極３６が積層方向にて接地電極層３４に投影される領域、又は、検出電極３６ｃが積層方向にて接地電極層３４に投影される領域に、開口部３９ｄが形成されていてもよい。
【００６８】
そして、第１実施形態では、好ましい態様として、積層方向にてアンテナを接地電極層３４に投影したときに、アンテナ３３ｂの投影の大部分が開口部３９ｄに位置していたけれども、必ずしも開口部３９ｄに位置していなくてもよい。
更に、第１実施形態では、指先等の接触位置は、直交座標にて検出されたけれども、極座標にて検出されるように電極群を構成しても良い。
また、アンテナ３３ｂの巻回数は２回に限定されることはない。
なお、アンテナ３３ｂは、断面が円形状若しくは楕円形状の導線を巻回して形成されていてもよく、フィルム基板３３ａを省略してプリント回路基板２８若しくは接地電極層３４に直接固定されていてもよい。
【００６９】
一方、第１実施形態では、フェイスシート２２によって感知面が形成されていたけれども、フェイスシート２２を省略してＸ駆動電極層３８等によって感知面を形成してもよい。
【００７０】
また、第１実施形態では、磁性層３２は四角形状を有していたけれども、シールド部材２６を通過する磁束の数を減少させることができれば、他の形状を有していてもよい。例えば、磁性層３９は、アンテナ４０ｂに沿うようなロの字形状を有していてもよい。
【００７１】
更に、第１実施形態では、磁性層３２が、プリント回路基板２８と接地電極層３４との間に位置していたが、磁性層３２は、プリント回路基板２８とシールド部材２６の凹み２７の底壁２７ｂとの間に位置していてもよい。すなわち、磁性層３２は、アンテナ３３ｂと凹み２７の底壁２７ｂとの間にあればよい。
【００７２】
なお、アンテナ付タッチパッド入力装置１０は、磁性層３２を有しているのが好ましいが、磁性層３２を省略することもできる。
最後に、本発明のアンテナ付タッチパッド入力装置は、ラップトップ型のパーソナルコンピュータに具現化した例で説明されているが、ＰＤＡや携帯電話機の如くのモバイル用途の電子機器にも適用可能であるのは勿論である。
【符号の説明】
【００７３】
１０    アンテナ付タッチパッド入力装置
１１    パーソナルコンピュータ（電子機器）
１２    本体
１４    ディスプレー
１８    液晶パネル
２０    メインハウジング
２０ｂ  開口
２１    キーボード
２２    フェイスシート（感知面）
２６    シールド部材
２６ａ  開口
２７    凹み
２７ａ  底板
２７ｂ  接続部材
２８    プリント回路基板
３３    磁性層（磁性部材）
３４    接地電極層（第３層）
３４ａ  フィルム基板
３４ｂ  接地電極
３６    Ｙ駆動電極層（第２層）
３６ａ  フィルム基板
３６ｂ  Ｙ駆動電極（第２駆動電極、電極群）
３６ｃ  検出電極（電極群）
３８    Ｘ駆動電極層（第１層）
３８ａ  フィルム基板
３８ｂ  Ｘ駆動電極（第１駆動電極、電極群）
３３    アンテナ層
３３ａ  フィルム基板（アンテナ用基板）
３３ｂ  アンテナ
３９ａ  接地電極の帯
３９ｂ  接地電極の帯
３９ｃ  交差部
３９ｄ  開口部
【図１】
2011002950.tif 000003
【図２】
2011002950.tif 000004
【図３】
2011002950.tif 000005
【図４】
2011002950.tif 000006
【図５】
2011002950.tif 000007
【図６】
2011002950.tif 000008
【図７】
2011002950.tif 000009
【図８】
2011002950.tif 000010
【図９】
2011002950.tif 000011